(57)【特許請求の範囲】
【請求項１】
複数の重ねられた層を含む表面ミラーコーティングを具備した透明基板を含む光学エレメントであって、
前記コーティングが、
前記基板に強固に接着する第１物質を含む接着層であって、厚さが０．５ｎｍ以上５ｎｍ以下である接着層と、
ＣｒｘＯｙ（ｘは１以上２以下の数、ｙは１以上３以下の数）、ＴｉＯ２、ＺｎＳｅ，ＺｎＳ、およびこれらの混合物を含む群から選ばれた高い屈折率を有する第２物質を含む反射層と、
屈折率が前記第２物質の屈折率より低い第３物質を含む耐剥離性がある着色層と、
を含み、
前記第１物質がＣｒ、Ｔｉ、ＳｉＯ、ＳｉＯ２、Ｉｎ２Ｏ３、ＳｎＯ２、およびこれらの混合物を含む群から選ばれ、
前記第３物質がＳｉＯ、ＳｉＯ２、ＭｇＦ２、Ｎａ５Ａｌ３Ｆ１４、およびこれらの混合物を含む群から選ばれることを特徴とする光学エレメント。
【請求項２】
前記第２物質を含む層の厚さが３ｎｍ以上８０ｎｍ以下であることを特徴とする請求項１に記載の光学エレメント。
【請求項３】
前記第３物質を含む層の厚さが５ｎｍ以上４００ｎｍ以下であることを特徴とする請求項１に記載の光学エレメント。
【請求項４】
前記第２物質の屈折率が１．７以上２．７以下であることを特徴とする請求項１に記載の光学エレメント。
【請求項５】
前記第３物質の屈折率が１．３２以上１．８以下であることを特徴とする請求項１に記載の光学エレメント。
【請求項６】
前記透明基板が、５００ｎｍの波長において１．３８以上１．７５以下の屈折率を有するガラスまたはプラスチックから概略構成されることを特徴とする請求項１に記載の光学エレメント。
【請求項７】
前記プラスチックが、アクリル系のポリマーとコポリマー、ポリメチルメタクリレート、ポリカーボネート、ポリオール−アリル−カーボネート、セルローズ・エステル、ポリアクリレート、ポリスチレン、ポリウレタンを含む群から選ばれることを特徴とする請求項６に記載の光学エレメント。
【請求項８】
めがね用のレンズまたはバイザーの形であることを特徴とする請求項１乃至７のいずれか１項に記載の光学エレメント。
【請求項９】
板状物または保護シールドの形であることを特徴とする請求項１乃至７のいずれか１項に記載の光学エレメント。
【請求項１０】
光学エレメントの透明基板上に、請求項１乃至９のいずれか１項に記載の表面ミラーコーティングを形成する方法であって、
ａ）前記基板を密閉チェンバーに入れる工程と、
ｂ）前記チェンバーを所定の真空度にする工程と、
ｃ）酸素雰囲気中で所定の時間イオン放出法により前記基板の表面を活性化する工程と、
ｄ）ほぼ無酸素の雰囲気中で前記第１物質を前記基板上に付着させ、所定の厚さを有する接着層を形成する工程と、
ｅ）酸素を含む雰囲気において、前記第２物質を前記接着層の上に制御された速度で付着させ、所定の厚さを有する反射層を形成する工程と、
ｆ）酸素を含む雰囲気において、前記第２物質の屈折率より低い屈折率を有する前記第３物質を前記反射層の上に付着させ、所定の厚さを有し耐剥離性を有する着色層を形成する工程と、
を備えることを特徴とする方法。
【請求項１１】
前記工程ｄ）、ｅ）、ｆ）が、ジュール効果により前記第１、第２および第３物質を蒸発させて行われることを特徴とする請求項１０に記載の方法。
【請求項１２】
前記工程ｄ）、ｅ）、ｆ）のそれぞれの前に、蒸発されるべき物質が所定の温度で予熱される工程が行われることを特徴とする請求項１１に記載の方法。
【請求項１３】
前記工程ｅ）が、基板への前記第２物質の付着速度が０．０５ｎｍ／ｓ以上０．１５ｎｍ／ｓ以下となるように行われることを特徴とする請求項１０に記載の方法。
【発明の詳細な説明】
【０００１】
（技術分野）
本発明は、表面ミラーコーティングを備えた透明な基板を含む光学エレメントおよびこのコーティングを形成する方法に関する。
【０００２】
以下の明細書および請求項において、「光学エレメント」という表現は、たとえば、めがね、バイザー、板状物、保護シールド、などに用いる眼科用および非眼科用レンズなどの光学エレメントを介して視野が得られる、ほぼ透明なエレメントを意味するのに使われる。
【０００３】
以下の明細書および請求項において、「透明基板」という表現は、ガラスまたはポリカーボネートまたはジエチレングリコール−ビス−アリル−カーボネート（商業的にはＰＰＧインダストリーズのＣＲ  ３９（登録商標）として使われる）からなるプラスチックからつくられた透明基板を意味するのに使われる。ガラスとプラスチックの両方はめがね用の眼科または非眼科レンズの製造に使われる。
【０００４】
（背景技術）
周知のように、光学エレメント、特にめがね用レンズの分野において、解決するのが最も困難な問題の一つは、基板に対する適切な接着力、良好な耐剥離性、適切な反射率、低い吸光度、および美観的に好ましい色を、同時に示す表面ミラーコーティングを提供することである。
【０００５】
従来技術によると、光学エレメントの望ましい色とミラーとしての特性は、光学エレメントの透明基板の上に適切な物質からなる２つ以上の層を含むコーティングを形成することにより得られる。
【０００６】
２層のみからなるミラーコーティングの場合（現在これは低コストのためにマーケットで最も普及している）、各層には一つ以上の特異的機能がある。
【０００７】
一般に、クロムまたはアルミニウムからなる第１層は、実際に、コーティングを基板に接着させる機能と可視スペクトル（４００−７００ｎｍ）の光を一様に反射する機能の両方を発揮する。
【０００８】
一般に、酸化珪素からなる第２の層は、一方で、レンズに所望の色を与え、且つコーティングに特定の耐剥離性を与えるという２つの機能を発揮する。
【０００９】
このような低コストの２層コーティングの製造に用いる方法は、加熱蒸発機構に基づく物理的蒸気付着、すなわち、ＰＶＤ法であり、この方法では物質を蒸発させる加熱はジュール効果により行われる。
【００１０】
周知のタイプの２層ミラーコーティングは目的をほぼ満たしており、且つコストも納得できるものであるが、基板への接着特性と耐剥離性が完全に満足できるものではないという欠点がある。
【００１１】
（発明の概要）
したがって、本発明の根底にある技術的課題は、現在、マーケットにある従来技術の２層コーティングに比べて、基板への接着特性および耐剥離性を改良した、表面ミラーコーティングを備える光学エレメントを提供することである。
【００１２】
本発明によると、ミラーコーティングの接着特性と耐剥離性の改良が、適切な物質からなる新しい層の組み合わせを用いたコーティングを実施することにより、達成できることが見いだされた。
【００１３】
したがって、本発明の第１の態様によると、本発明により、請求項１で規定された表面ミラーコーティングを含む光学エレメントが得られる。
【００１４】
好適な実施態様において、本発明のミラーコーティングには、それぞれ、第１、第２、および第３の物質からなる重ねられた一連の３つの層が含まれている。すなわち、第１の物質は、主として、基板に接着する機能を果たすためのものであり、第２の物質は、主として、反射すなわち、鏡面の機能を果たすためのものであり、そして第３の物質は、主として、コーティングに所望の色を付与し、そして随意に所望の耐剥離性を付与する機能を果たすためのものである。
【００１５】
好都合なことに、これらの層を組み合わせると、普通の２層コーティングを用いた場合に得られるものに比べて広範囲の色彩と多種多様な色調を得ることもできる。
【００１６】
本発明のミラーコーティングした基板は、周知のタイプの２層コーティングよりも簡単に浄化することができる。この利点は、本発明のコーティングの表面が粗くないためである。
【００１７】
好都合なことに、本発明の鏡面層は、２層コーティングに比べてより大きな透過率を示し、そのために、従来技術に比べてより柔軟で且つ幅の広い方法で暗い色の基板に被覆することができ、一方、適用可能な基準で必要になる最小限の透過率限界の範囲に入る。この利点は、サングラス用レンズの場合にとくに好ましい。何故ならば、被覆レンズの最小透過率限界（この限界は自動車を運転している時に装着したレンズの場合に与えられ、そしてスタンダードＥＮ  １８３６，ＡＮＳＩ  Ｚ８０．３およびＡＳ  １０６７．１により８％に規定される）に適合しつつ、同時に、レンズの色の範囲を広げることができるからである。
【００１８】
好都合なことに、コーティングの剛さが比較的低いので、基板に対する接着性は、同等のコストの２層コーティングが持っている接着性に比べて、常に優れたものにすることができる。
【００１９】
後で明らかにされるように、好適な実施態様では、本発明の光学エレメントは、前述の２層コーティングを形成する場合にこれまで使われてきた蒸気付着の装置と方法を用いると納得のいくコストでつくることができる。
【００２０】
第１の物質を含む層の厚さは、０．５ｎｍ以上５ｎｍ以下であるのが好ましく、そして０．５ｎｍ以上２ｎｍ以下であるのが最も好ましい。本発明の目的から、第１物質は、Ｃｒ，Ｔｉ，ＳｉＯ，ＳｉＯ２，Ｉｎ２Ｏ３，ＳｎＯ２およびこれらの混合物を含む群から選ばれるのが好ましく、これらの中ではクロムがとくに好ましい。
【００２１】
第２の物質を含む層の厚さは、３ｎｍ以上８０ｎｍ以下であるのが好ましく、そして８ｎｍ以上５０ｎｍ以下であるのが最も好ましい。本発明の目的から、第２物質は、ＣｒｘＯｙ，ＴｉＯ２，ＺｎＳｅ，ＺｎＳおよびこれらの混合物を含む群から選ばれるのが好ましく、ここでｘは１以上２以下の数であり、そしてｙは１以上３以下の数である。これらの中ではＣｒ２Ｏ３がとくに好ましい。
【００２２】
好適な実施態様によると、第２の物質の屈折率は１．７以上２．７以下であり、さらに、屈折率は１．９以上２．４以下であるのがより好ましい。
【００２３】
本明細書では、種々の物質の屈折率は、それぞれの物質が透明であるか、ごくわずかに光を吸収する波長で測定された屈折率である。
【００２４】
第３の物質を含む層の厚さは、５ｎｍ以上４００ｎｍ以下であるのが好ましく、そして１０ｎｍ以上２００ｎｍ以下であるのが最も好ましい。本発明の目的から、第３物質は、ＳｉＯ，ＳｉＯ２，ＭｇＦ２，Ｎａ５Ａｌ３Ｆ１４，およびこれらの混合物を含む群から選ばれるのが好ましい。
【００２５】
第３の物質の屈折率は１．３２以上１．８以下であるのが好ましく、そして１．４以上１．７以下であるのがより好ましい。
【００２６】
好適には、基板は、本質的には、５００ｎｍの波長において１．３８以上１．７５以下の屈折率を有するガラスまたはプラスチックの透明エレメントからなる。
【００２７】
プラスチック製の基板は、ポリシロキサン樹脂または２つの機能（仕上がり製品に耐引っ掻き性を付与し、且つ同じ基板へのミラーコーティングの接着度を高める機能）を有するその他の適切な物質で被覆する。
【００２８】
本発明の目的から、プラスチックは、アクリル系のポリマーとコポリマー、ポリメチルメタクリレート、ポリカーボネート、ポリオール−アリル−カーボネート、セルローズ・エステル、ポリアクリレート、ポリスチレン、ポリウレタンを含む群から選ばれるのが好ましい。
【００２９】
これらの中で、Ｓｐｅｃｔｒａｌｉｔｅ（登録商標）（Ｓｏｌａ  Ｏｐｔｉｃａｌ）として商業的に利用できるアクリル系コポリマー、ＣＲ３９（登録商標）（ＰＰＧインダストリーズ）として商業的に利用できるジエチレングリコール−ビス−アリル−カーボネート、めがね用の眼科および非眼科レンズとしてよく使われるポリカーボネートが好ましい。
【００３０】
好適には、光学エレメントは、めがね用のレンズかバイザー、または板状物か保護シールドの形態で製造される。
【００３１】
本発明の第２の態様によると、本発明から、請求項１３で規定されている、光学エレメントの透明基板の上に表面ミラーコーティングを形成する方法が得られる。
【００３２】
本発明の方法の好適な実施態様において、基板の表面ミラーコーティングは、２層表面ミラーコーティングを製造する場合に通常使われる低コストの装置と方法を用いて行われる物理的蒸気付着法により形成される。
【００３３】
出願人は、この方法で、２層ミラーコーティングを形成する従来の方法と同等のコストで、所望の改良された接着特性が得られることに気づいた。
【００３４】
実際には、２層表面ミラーコーティングの製造に通常使われる低コストの装置と方法を用いた場合でさえ、本発明の方法は、好都合なことに、鏡面の品質を改良することができる。この鏡面の品質は多層コーティングの品質と同等である。多層コーティングはずっと高価であり、且つ電子銃を用いる方法などの洗練された方法を用いてつくられるが、本発明では、コストを限定するために２層コーティングのコストと同等なコストに維持される。
【００３５】
その上、本発明の好適な製造方法は、従来の洗練されていない装置を用いることによる処理時間の短さにより、従来の多層コーティングの製造に用いられる方法に比べて生産性を上げることができる。
【００３６】
最も好適な用途のコーティング装置には、特に、
−密閉チェンバーを加熱または冷却するための外部コイルを具備した密閉チェンバー、
−被覆される光学エレメントの未完成品のサポートとして作用するドーム、
−ジュール効果によりるつぼを加熱する電流源に適切に接続され、中に収められた、光学エレメントの基板に付着されるべき物質を加熱する複数の金属製るつぼ、
−密閉されたチェンバーと流体的に連絡している真空装置、
−随意の反応性ガス（たとえば、酸素）を供給する調節装置、および被覆されるべき基板を浄化するイオン放出装置、
が含まれている。
【００３７】
好適な実施態様によると、これらのるつぼはモリブデン製であることが好ましく、上部には着脱可能なシャッターが具備され、シャッターは蒸発する物質が所望の蒸発温度に到達するまでるつぼを閉鎖している。
【００３８】
好適には、基板は密閉チェンバー内に配置され、このチェンバーの真空度は２×１０−５ｍｂａｒ以上１．５×１０−４ｍｂａｒ以下である。
【００３９】
本発明の方法の好適な実施態様において、基板上に金属層が付着し、続いてこの層の上に、同じ金属または異種金属の酸化物からなる反射層が付着する。
【００４０】
前者の場合、この金属を酸素含有雰囲気中で蒸発させて反射層を形成し、所望の酸化物層を「その場で」、すなわち、下にある接着層の上に直接形成するのが好ましく且つ有利である。
【００４１】
この場合、反射層は、基板への第２物質の付着速度を、０．０５ｎｍ／ｓ以上０．１５ｎｍ／ｓ以下の範囲に調節して形成するのが好ましい。
【００４２】
このようにすると、金属と酸素の間で所望の化学量論的比率を有する酸化物が得られて有利である。
【００４３】
本発明の方法の好適な実施態様によると、第１、第２および第３の各物質の付着工程は蒸発により行われ、その際、それぞれの物質の予熱工程が先行して行われる。
【００４４】
好都合なことに、予熱工程は、各物質を蒸発させるのに最も適した温度に近い予熱温度まで加熱するようになっており、且つるつぼの着脱可能なシャッターはその閉鎖位置に保持しながら行われる。
【００４５】
好適には、予熱と蒸発の両工程は、ジュール効果により、熟練者が容易に測定できる温度で、且つ所望の速度で付着を行うことができる温度に到達するように行なわれる。
【００４６】
好適な実施態様によると、予熱工程は、るつぼがモリブデン製の場合、好適には、２００Ａ以上３９０Ａ以下の電流をるつぼに供給して行われる。
【００４７】
より好適には、予熱工程中にるつぼに供給される電流値は次のとおりである：
i）第１物質を予熱する場合は、３３０〜３７０Ａ、最も好適には３５０Ａ、
ii）第２物質を予熱する場合は、３６０〜４００Ａ、最も好適には３８０Ａ、
iii）第３物質を予熱する場合は、２００〜２４０Ａ、最も好適には２２０Ａ。
【００４８】
好適な実施態様によると、蒸発工程は、るつぼがモリブデン製の場合、好適には、２８０Ａ以上４００Ａ以下の電流をるつぼに供給して行われる。
【００４９】
より好適には、蒸発工程中にるつぼに供給される電流値は次のとおりである：
i）第１物質を蒸発する場合は、３６０〜４００Ａ、最も好適には３８０Ａ、
ii）第２物質を蒸発する場合は、３６０〜４００Ａ、最も好適には３８０Ａ、
iii）第３物質を蒸発する場合は、２７０〜３１０Ａ、最も好適には２９０Ａ。
【００５０】
有利なことに、上で簡単に説明した装置を用いると、本発明のコーティング方法を全部で１５分と３５分の間の時間で行うことができる。
【００５１】
好適には、この時間は次のような主要操作工程に分割することができる：
−真空時間：８−１０分；
−基板の表面を活性化する時間：３−５分；
−第１物質の予熱時間：約１８０秒；
−第１物質の付着時間：２．５−１０秒；
−第２物質の予熱時間：約１８０秒；
−第２物質の付着時間：４０−３００秒；
−第３物質の予熱時間：約１８０秒；
−第３物質の付着時間：７−３００秒；
−周辺圧力へ戻す時間：約１８０秒。
【００５２】
この好適な実施態様では、この装置の固定コストが比較的低く且つ処理時間が短いので、全体として従来技術の２層コーティングを備えた光学エレメントと同等なコストで、光学エレメント上にミラーコーティングを形成することができると同時に、コーティングの接着特性と耐剥離性について所望の改良が得られる。
【００５３】
一方、多層コーティングの製造に用いるものなど、より洗練された装置を用いて本発明の方法を行うことができる。このようにして得られたコーティングは、基板へのコーティングの接着や機械的抵抗については良好な結果が得られるが、この場合のコストはかなり高くなる。
【００５４】
（発明の実施の形態）
本発明のさらなる特徴や利点は、添付図面を参照しながら、制限されない実施例による本発明のいくつかの好適な実施例に関する以下の説明により容易に明らかになる。
【００５５】
（実施例１）
ＣＲ３９（登録商標）（ＰＰＧインダストリーズ）からつくられためがね用のレンズ１００個について、本発明によるミラーコーティングを行い、得られたミラーコーティングには、
−Ｃｒからなる接着層；
−ＴｉＯ２（５００ｎｍの波長における屈折率は２．２５）からなる反射層；
−ＳｉＯ２（５００ｎｍの波長における屈折率は１．４７）からなる耐剥離性を有する着色層；が含まれている。
【００５６】
コーティング層の形成は、商業的に利用できるＳａｔｉｓ  １２００  ＤＬＳ  ｃｏａｔｅｒ（Ｓａｔｉｓ  Ｖａｃｕｍ  ＡＧ）により行った。この装置は、１５ｋｗの電源を有する電子銃、９．５ｋｗの電源を有するイオン銃および酸素流調節器を備えている。
【００５７】
コーティングの接着層は、酸素雰囲気中で１８０秒間イオン放出によりレンズの表面を活性化した後、真空下で金属Ｃｒを蒸発させて付着させた。
【００５８】
付着パラメータは下記のとおりであった：
−初期真空：３・１０−５ｍｂａｒ；
−付着開始温度（レンズ上で測定した）：６０℃；
−真空時間：２０分；
−イオン放出によりレンズの表面を活性化する時間：１８０秒；
−Ｃｒの予熱時間：１８０秒；
−Ｃｒの付着時間：約５秒；
−ＴｉＯ２の予熱時間：１８０秒；
−ＴｉＯ２の付着時間：約１２０秒；
−ＳｉＯ２の予熱時間：１８０秒；
−ＳｉＯ２の付着時間：約１８０秒；
−周辺圧力へ戻す時間：１５分。
【００５９】
ＴｉＯ２層は金属チタンを蒸発させ、次いで約３５ｓｃｃｍ（１分あたりのスタンダード立方センチメーター）の酸素を流入させて付着させ、一方、ＳｉＯ２からなる最終層は酸素のない状態で付着させた。
【００６０】
付着操作の最後に、表１に示した特性を有するミラーコーティングが各レンズについて得られた。
【００６１】
（実施例２）
ポリカーボネートからつくられたレンズ１００個について、本発明によるミラーコーティングを行い、得られたミラーコーティングには、
−Ｃｒからなる接着層；
−実験式ＣｒｘＯｙの非化学量論的酸化クロムからなる反射層（ここでｘは１以上２以下の数であり、ｙは１以上３以下の数であり、そして５００ｎｍの波長において１．９以上２．４以下の屈折率を有する）；
−ＳｉＯ（５００ｎｍの波長における屈折率は１．７）からなる耐剥離性を有する着色層；
が含まれている。
【００６２】
コーティング層の形成は、商業的に利用できるＳａｔｉｓ  １５０／Ｓ  ｃｏａｔｅｒ（Ｓａｔｉｓ  Ｖａｃｕｍ  ＡＧ）により行った。この装置には、ジュール効果により物質を加熱するようになっている電気抵抗器を具備した複数のるつぼが含まれている。
【００６３】
付着パラメータは下記のとおりであった：
−初期真空：１．１・１０−４ｍｂａｒ；
−付着開始温度（レンズ上で測定した）：５０℃；
−真空時間：１０分；
−イオン放出によりレンズの表面を活性化する時間：１８０秒；
−Ｃｒの予熱時間：１８０秒；
−Ｃｒの付着時間：約５秒；
−ＣｒｘＯｙ付着前のＣｒ予熱時間：１８０秒；
−ＣｒｘＯｙの付着時間：約４５秒；
−ＳｉＯ付着前のＳｉ予熱時間：１８０秒；
−ＳｉＯ付着時間：約１５０秒；
−周辺圧力へ戻す時間：１８０秒。
【００６４】
ＣｒｘＯｙ層は金属Ｃｒを蒸発させ、次いで約４６ｓｃｃｍの酸素を流入させて付着させ、一方、ＳｉＯの層はＳｉを蒸発させ、次いで約３２．８ｓｃｃｍの酸素を流入させて付着させた。
【００６５】
付着操作の最後に、表２に示した特性を有するミラーコーティングが各レンズについて得られた。
【００６６】
（実施例３）
ポリカーボネートからつくられたレンズ１００個について、本発明によるミラーコーティングを行い、このミラーコーティングには、
−ＳｉＯ（５００ｎｍの波長における屈折率は１．７）からなる接着層；
−実験式ＣｒｘＯｙの非化学量論的酸化クロムからなる反射層（ここでｘは１以上２以下の数であり、ｙは１以上３以下の数であり、そして５００ｎｍの波長において１．９以上２．４以下の屈折率を有する）；
−ＳｉＯ（５００ｎｍの波長における屈折率は１．７）からなる耐剥離性を有する着色層；
が含まれている。
【００６７】
コーティング層の形成は、Ｓａｔｉｓ  １５０／Ｓ  ｃｏａｔｅｒ（Ｓａｔｉｓ  Ｖａｃｕｕｍ  ＡＧ）により行った。
【００６８】
付着パラメータは下記のとおりであった：
−初期真空：１．１・１０−４ｍｂａｒ；
−付着開始温度（レンズ上で測定した）：５０℃；
−真空時間：１０分；
−イオン放出によりレンズの表面を活性化する時間：１８０秒；
−ＳｉＯの予熱時間：１８０秒；
−ＳｉＯの付着時間：約８秒；
−ＣｒｘＯｙ付着前のＣｒ予熱時間：１８０秒；
−ＣｒｘＯｙの付着時間：約５５秒；
−ＳｉＯ付着前のＳｉ予熱時間：１８０秒；
−ＳｉＯ付着時間：約１０秒；
−周辺圧力へ戻す時間：１８０秒。
【００６９】
ＣｒｘＯｙ層は金属Ｃｒを蒸発させ、次いで約４６ｓｃｃｍの酸素を流入させて付着させ、一方、ＳｉＯの層はＳｉを蒸発させ、次いで約３２．８ｓｃｃｍの酸素を流入させて付着させた。
【００７０】
付着操作の最後に、表３に示した特性を有するミラーコーティングが各レンズについて得られた。
【００７１】
（実施例４）（コーティングの接着特性の特定）
実施例２のレンズをコーティングの接着特性を特定するためにスタンダード・テストにかけた。
【００７２】
とくに、通常Ｑ−ＵＶテストとして知られている比較テストを、外部環境で調べたレンズの相対的寿命を評価することを目的として一組のレンズについて行った。
【００７３】
この種のテストは、スタンダードＡＳＴＭ  Ｇ５３，Ｄ−４２３９，ＳＡＥ  Ｊ２０２０およびＩＳＯ  ４８９２と適合して大気中の薬剤に露出することにより発現された有害な作用を研究室でシミュレートすることを狙っている。
【００７４】
測定結果は図１に棒グラフで表示され、この図では、比較するレンズの寿命と比べた実施例２のレンズの平均寿命が、時間数で表示されている。
【００７５】
前述の図において、Ｂｌｕｅ，Ｂｒｏｎｚｅ，ＢｌａｃｋおよびＳｉｌｖｅｒをラベルしたバーはそれらの各々に対応する色を与えるようにＣｒ−およびＳｉＯ−をベースにした２層コーティングを備えたポリカーボネート・レンズを指している。これらのレンズはＢｌｕｅ  Ｍｉｒｒｏｒ，Ｂｒｏｎｚｅ  Ｍｉｒｒｏｒ，Ｂｌａｃｋ  ＭｉｒｒｏｒおよびＳｉｌｖｅｒ  Ｍｉｒｒｏｒという専門的名称があり商業的に利用できる（Ｓｏｌａ  Ｏｐｔｉｃａｌ  Ｉｔａｌｉａ  Ｓ．ｐ．Ａ．）。
【００７６】
図１に示したヒストグラムから指摘できるように、本発明のコーティングの接着特性は周知のタイプの２層コーティングの接着特性に比べてかなり改良されている。
【００７７】
（実施例５）（コーティングの耐剥離性特性の特定）
実施例２のコーティングの耐剥離性を周知のタイプの２層コーティングの耐剥離性と比べて評価するために、この分野ではＳｔｅｅｌ  Ｗｏｏｌ  ｔｅｓｔの名称で知られているもう一つの比較テストを行った。
【００７８】
このテストは、レンズの表面上をスティール・ウールでこすって行い、剥離により生じた損傷をレンズ上の剥離量により評価する。
【００７９】
Ｓｔｅｅｌ  Ｗｏｏｌ  ｔｅｓｔは、改良されたＳｕｔｈｅｒｌａｎｄ  ｉｎｋ−ｒｕｂ  ｔｅｓｔｅｒ（米国ミシガン州ＫａｌａｍａｚｏｏのＪａｍｅｓ  Ｒｉｖｅｒ  Ｃｏｒｐ．）により行い、この方法ではゴム・パッドはスタンダード・スティール・ウールのグレード０００のフレークにより置換されている。２ｋｇの重量があるスティール・ウールのフレークを所定数の剥離サイクルを行う振動装置に入れた。レンズは、２５回の剥離サイクルにかけた後、照明つきの黒いパネルに対して顕微鏡と肉眼で調べた。
【００８０】
相対的なデータによる結果を表４に示している。これらの結果は、上限は星５個に評価されているガラスの耐剥離性により規定され、そして下限は星０個に評価される被覆していないポリカーボネートの耐剥離性に対応する、値の範囲に入る。
【００８１】
表４に示された比較データから、実施例２のプラスチック・レンズは普通の２層コーティングを備えた比較レンズに比べて高い耐剥離性を示し、ガラスに比べて少し低いと言える。
【００８２】
【表１】
0004796264.tif 000002
【００８３】
【表２】
0004796264.tif 000003
【００８４】
【表３】
0004796264.tif 000004
【００８５】
【表４】
0004796264.tif 000005
【図面の簡単な説明】
【図１】  支持体に対するコーティングの接着特性を特定するＱーＵＶテストの結果をヒストグラムの形で示した図である。
【図１】
0004796264.tif 000006